(57)【要約】【課題】雑音が発生しない鍵盤楽器を提供する。【解決手段】仕切部７０（本体部７０ａ）は、隣接するハンマー２０の間に配置されている。この仕切部７０を備える鍵盤楽器１では、鍵盤楽器１が縦に置かれハンマー２０が反っても、そのハンマー２０が隣接するハンマー２０と衝突する位置まで反ることを仕切部７０が防止し、また反り以外の原因でハンマー２０が隣接するハンマーと衝突する方向に移動してもこの仕切部７０がハンマー２０同士の衝突を防止する。従って、この鍵盤楽器１を用いると、ハンマー２０同士が衝突する衝突音の発生を確実に抑えることができる。【選択図】  図１
2004226731.tif 000002
【特許請求の範囲】
【請求項１】
棚板の上方に設置され、上面側に複数の鍵盤が並設されたシャーシと、
前記シャーシの下面側に前記鍵盤の並び方向に沿って並設され、前記各鍵盤が押鍵される動作に連動して遊端側が上下方向に揺動するハンマーと
を備える鍵盤楽器において、
前記ハンマーの間に配置された仕切部を備えることを特徴とする鍵盤楽器。
【請求項２】
請求項１記載の鍵盤楽器において、
前記仕切部は、前記ハンマーの遊端側に取り付けられた錘に対向する位置に配置されていることを特徴とする鍵盤楽器。
【請求項３】
請求項１，２いずれか記載の鍵盤楽器において、
前記ハンマーに対向する前記仕切部の側面に緩衝材が配されていることを特徴とする鍵盤楽器。
【請求項４】
請求項１〜３いずれか記載の鍵盤楽器において、
前記仕切部に対向する前記ハンマーの側面に緩衝材が配されていることを特徴とする鍵盤楽器。
【請求項５】
請求項１〜４いずれか記載の鍵盤楽器において、
前記仕切部は、前記シャーシの下面に一体に成型されていることを特徴とする鍵盤楽器。
【請求項６】
請求項１〜５いずれか記載の鍵盤楽器において、
前記ハンマーの下方に設置され、落下する前記ハンマーの遊端側を受け止める受止手段を備え、
前記ハンマーを受止める前記受止手段の受止面に緩衝材が配され、
前記受止面に対向する前記ハンマーの被受止面にも前記緩衝材が配されていることを特徴とする鍵盤楽器。
【請求項７】
棚板の上方に設置され、上面側に複数の鍵盤が並設されたシャーシと、
前記シャーシの下面側に前記鍵盤の並び方向に沿って並設され、前記各鍵盤が押鍵される動作に連動して遊端側が上下方向に揺動するハンマーと
を備える鍵盤楽器において、
前記ハンマーの下方に設置され、落下する前記ハンマーの遊端側を受け止める受止手段を備え、
前記ハンマーを受止める前記受止手段の受止面に緩衝材が配され、
前記受止面に対向する前記ハンマーの被受止面にも前記緩衝材が配されていることを特徴とする鍵盤楽器。
【請求項８】
請求項６，７いずれか記載の鍵盤楽器において、
前記受止手段の前記受止面部分に、ハンマーの揺動方向に対して角度を持つ部分が形成されていることを特徴とする鍵盤楽器。
【請求項９】
請求項８記載の鍵盤楽器において、
前記ハンマーの前記被受止面部分が、ハンマーの揺動方向に対して角度を持つ部分が形成されていることを特徴とする鍵盤楽器。
【請求項１０】
請求項１〜９いずれか記載の鍵盤楽器において、
前記シャーシは、演奏者側、非演奏者側、及び、前記演奏者側と前記非演奏者側との間の中間部で前記棚板に接する脚部を備え、前記棚板に接する前記中間部の下面に、緩衝材が配されていることを特徴とする鍵盤楽器。
【請求項１１】
棚板の上方に設置されたシャーシと、
該シャーシの上面側に配置され、前記シャーシに対し揺動可能に並設された複数の鍵盤と、
前記シャーシの下面側に配置され、前記シャーシに対し前記鍵盤の並び方向に沿って並設され、上下方向に遊端側が揺動するよう、前記シャーシに揺動可能に取り付けられたハンマーと
を備える鍵盤楽器において、
前記シャーシは、演奏者側、非演奏者側、及び、前記演奏者側と前記非演奏者側との間の中間部で前記棚板に接する脚部を備え、前記棚板に接する前記中間部の下面に緩衝材が配されていることを特徴とする鍵盤楽器。
【請求項１２】
請求項３，４，６，７，１０，１１いずれか記載の鍵盤楽器において、
前記緩衝材は、フェルトであることを特徴とする鍵盤楽器。
【発明の詳細な説明】
【０００１】
【発明の属する技術分野】
本発明は、鍵盤楽器に関する。
【０００２】
【従来の技術】
電子ピアノで用いられる従来の鍵盤楽器２００は、図５に示すように、鍵盤２１０、ハンマー２２０、シャーシ２３０を備えている。このうちシャーシ２３０は、演奏者側と非演奏者側に設置された二つの支持具２５０により棚板２４０の上方に設置され、また、二つの支持具２５０を渡して設けられたリブ２６０によりその中間部が支持されている。そしてこのシャーシ２３０の上面側に、８８鍵の鍵盤２１０が並列に取り付けられ、各鍵盤２１０は、鍵盤楽器２００の演奏者側で各鍵盤２１０の遊端側が上下方向に揺動するよう、鍵盤２１０の他端側がシャーシ２３０の非演奏者側の上面に揺動可能に取り付けられている。
【０００３】
またこのシャーシ２３０の下面側には、鍵盤２１０毎に設けられたハンマー２２０が鍵盤２１０の並び方向に沿ってシャーシ２３０の下面側に並列に設置され、各ハンマー２２０は、錘２２５を備える遊端側が鍵盤楽器２００の演奏者側で上下方向に揺動するよう、その他端側がシャーシ２３０の演奏者側と非演奏者側との間の中間部に揺動可能に取り付けられている。より具体的には、シャーシ２３０にはその中間部より演奏者側に挿通孔２３１が設けられているので、ハンマー２２０はその挿通孔２３１を通し遊端側がシャーシ２３０の演奏者側の下方に位置し、他端側がシャーシ２３０の上面側に位置するよう設置されている。また、ハンマー２２０は、他端側に揺動軸２２６を備え、この揺動軸２２６を介してシャーシ２３０に取り付けられているが、この揺動軸２２６よりもさらに非演奏者側に延設されたテール部２２１を備えている。そして、鍵盤２１０は、押鍵時にこのテール部２２１を押す突起２１１を備えている。さらに鍵盤楽器２００は、テール部２２１の下方であってシャーシ２３０の上面にゴムスイッチ２７０を備えている。
【０００４】
このように構成された鍵盤楽器２００では、鍵盤２１０が押鍵されると突起２１１がテール部２２１を押下し、さらにそのテール部２２１にボタン２７０が押されて、図示しない制御装置が演奏音を発音すると共に、ハンマー２２０の錘２２５を備えた遊端側が上方に向かって揺動する。そのためこの鍵盤楽器２００を用いると、電子楽器でありながら、演奏者は、アコースティックピアノを演奏しているような手応感を感じながら演奏することができるのである。（特許文献１）
【０００５】
【特許文献１】
特開２０００−１２２６６０号公報
【０００６】
【発明が解決しようとする課題】
しかし、鍵盤楽器２００は、縦に置くと（鍵の並び方向のいずれかが下になるように置くと）、ハンマー２２０が錘２２５の重さで反ってしまうことがあった。そのためそのハンマー２２０が、隣り合うハンマー２２０に当って衝突音等の雑音が発生してしまうことがあった。この雑音の抑制は、鍵盤楽器の高級化を図る上で非常に重要な課題であった。
【０００７】
そこで本発明では、雑音が発生しない鍵盤楽器を提供することを目的とする。
【０００８】
【課題を解決するための手段及び発明の効果】
上記目的を達するためになされた請求項１記載の発明は、棚板の上方に設置され、上面側に複数の鍵盤が並設されたシャーシと、前記シャーシの下面側に前記鍵盤の並び方向に沿って並設され、前記各鍵盤が押鍵される動作に連動して遊端側が上下方向に揺動するハンマーとを備える鍵盤楽器において、前記ハンマーの間に配置された仕切部を備えることを特徴とする。
【０００９】
本発明の鍵盤楽器では、鍵盤楽器が縦に置かれてもハンマーが反ることを仕切部が防止するので、ハンマー同士の衝突が防止され、その結果ハンマー同士の衝突音が一切発生しない。
従って、本発明の鍵盤楽器を用いると、雑音の一つである、ハンマー同士が衝突する衝突音の発生を確実に抑えることができる。
【００１０】
尚、仕切部は、ハンマーが揺動する範囲で、隣接するハンマー同士を隔てる大きさに少なくとも形成されていればよく、それ以上大きくてもよい。また、仕切板は、各ハンマーすべての間に配置されていてもよいし、所定個数置きに配置されていてもよい。
【００１１】
次に、仕切部を設ける位置はハンマーの反りを防止できる位置であればどこでもよいが、請求項２記載の鍵盤楽器のように、仕切部を、ハンマーの遊端側に取り付けられた錘に対向する位置に配置されていることが好ましい。
ところで、仕切部でハンマーの反りを防止した場合、今度は仕切部とハンマーとが衝突して、衝突音等の雑音が発生する恐れがある。そのため、請求項３に記載したように、ハンマーに対向する仕切部の側面に緩衝材が配されていることが好ましい。このようにすると、ハンマーが仕切部に当ったときの衝突音を抑えることができる。さらに、請求項４に記載したように、仕切部に対向するハンマーの側面にも緩衝材が配されているほうがより好ましい。
【００１２】
尚、仕切部は、どのように鍵盤楽器に組みつけられてもよいが、請求項５に記載したように、仕切部は、シャーシの下面に一体に成型してもよい。このようにすると、シャーシと一体成型できるので、製造効率が向上する。
次に、ハンマーが原因で発生する雑音としては、押鍵して上昇したハンマーが、落下するときに生じる衝突音がある。この雑音はハンマー同士の衝突音のように大きくはないが、止音後に生ずるという意味で問題のある雑音である。そこで、請求項６及び７に記載した発明のように、ハンマーの下方に設置され、落下するハンマーの遊端側を受け止める受止手段を備え、ハンマーを受止める受止手段の受止面に緩衝材が配され、受止面に対向するハンマーの被受止面にも緩衝材が配されていることが好ましい。このようにすると、ハンマーが落下するとき、緩衝材同士が衝突し緩衝効果が確実かつ効率的に発揮されるので、止音後にハンマーが落下することによって生ずる雑音を確実に抑えることができる。
【００１３】
次に、請求項８に記載されている鍵盤楽器のように、受止手段の受止面部分に、ハンマーの揺動方向に対して角度を持つ部分が形成されていることが好ましい。この鍵盤楽器では、ハンマーが落下すると、ハンマーが角度を持つ部分にあたって受止面上を滑りながら止まるので、摩擦によりハンマーの落下速度が徐々に落ち、衝突音の発生を抑えることができる。そのため、この鍵盤楽器を用いると、止音後にハンマーが落下することによって生ずる音を確実に抑えることができる。また、請求項９に記載されている鍵盤楽器のように、ハンマーの被受止面部分も、ハンマーの揺動方向に対して角度を持つ部分が形成されているほうがより好ましい。
【００１４】
次に、請求項１０及び１１記載の鍵盤楽器のように、シャーシは、演奏者側、非演奏者側、及び、演奏者側と非演奏者側との間の中間部で棚板に接する脚部を備え、棚板に接する中間部の下面に、衝突音の発生を抑制する緩衝材が積層されていることが好ましい。このような三本足のシャーシでは、棚板が反ると中間部の脚部が棚板から浮き、押鍵する際、シャーシが棚板に当たる音が発生する。しかし、本発明の鍵盤楽器のように、棚板に接する中間部の下面に緩衝材を配すれば、棚板が反ってもシャーシが棚板に当たる雑音の発生を防止することができる。
【００１５】
上述した請求項３，４，６，７，１０，１１いずれか記載の鍵盤楽器において、緩衝材としては、どのようなものを用いてもよいが、例えば請求項１２に記載されているフェルトを用いるとよい。
【００１６】
【発明の実施の形態】
以下、本発明が適用された実施形態について説明する。
ここで図１及び図２は鍵盤楽器の側部断面図、図３は図１のＡ−Ａ’断面図である。
【００１７】
本実施形態の鍵盤楽器１は、図１に示すように、鍵盤１０、ハンマー２０、シャーシ３０を備えている。この鍵盤楽器１では、シャーシ３０が、演奏者側と非演奏者側に設置された二つの支持具５０により棚板４０の所定高さ上方に支持され、また、後述する第１軸受部３３ａが設けられたシャーシ３０の中間部が、二つの支持具５０を渡して設けられたリブ６０に支持されている。そして、鍵盤１０は、シャーシ３０の上面で揺動するようシャーシ３０に揺動可能に取り付けられ、一方、ハンマー２０は、シャーシ３０と棚板４０との間で揺動するようそれぞれシャーシ３０に揺動可能に取り付けられている。
【００１８】
以下具体的な構成について説明する。
まず、鍵盤１０は、８８鍵がシャーシ３０の上面側に並列に設置され（図１の紙面に垂直な方向に向かって並べられ）ている。そして、各鍵盤１０は、その長さ方向遊端側が鍵盤楽器１の演奏者側（図１の左方）で上下方向に揺動するよう、その長さ方向他端側に設けられた揺動軸１６が、鍵盤楽器１の非演奏者側（図１の右方）のシャーシ３０に設けられた後述する第２軸受部３３ｂに揺動可能に取り付けられている。
【００１９】
また、各鍵盤１０の下面側には突起１１とハネ防止具１２が形成されている。突起１１は、後述するハンマー２０のテール部２１を押下可能な位置に形成され、ハネ防止具１２は、先端が鉤状に形成され、その先端をシャーシ３０の後述する第２挿通孔３２ｂに挿通可能な位置に形成されている。
【００２０】
ハンマー２０は、鍵盤１０毎に設けられ、シャーシ３０の下面側に鍵盤１０の並び方向に沿って並列に設置されている。そして、各ハンマー２０は、その長さ方向遊端側が演奏者側のシャーシ３０の下面と棚板４０との間で揺動するよう、その長さ方向他端側に設けられた揺動軸２９がシャーシ３０の上面側の後述する第１軸受部３３ａに揺動可能に取り付けられ、シャーシ３０の後述する各第３挿通孔３２ｃに通して、その遊端側が演奏者側のシャーシ３０の下面と棚板４０との間に配置されるよう設置されている。
【００２１】
またこのハンマー２０は、揺動軸２９より非演奏者側に延設されたテール部２１と、後述する仕切部７０の本体部７０ａ（図３参照）に対向する遊端側の両側面に取り付けられた錘２５と、この錘２５より演奏者側に突設された突起部２２とを備えている。さらに錘２５上にはフェルト２６が積層され、このフェルト２６は、具体的には、突起部２２が下死点フェルト５１に当接してハンマー２０が下死点に位置しているとき、図２に示すように突起部２２が上死点フェルト３４に当接して上死点に位置しているとき、及び、下死点と上死点との間を揺動しているいずれのときでも、仕切部７０に対向する位置に積層されている。また、ハンマー２０は、図３に示すように、後述する受止面７０ｃに対向する部分２０ａが、前後方向（図１の左右方向）に垂直な断面で見て、ハンマー２０の揺動方向に対して角度を持つ部分を有し、具体的には、後述する溝部７０ｄに嵌合可能な略楔形状に形成され、この部分にもフェルト２７が積層されている。
【００２２】
シャーシ３０は、合成樹脂を用いて射出成型により形成され、鍵盤１０の並び方向に沿って長尺な略平板に形成されている。またこのシャーシ３０には、演奏者側端部の上面に、鍵盤１０の並び方向へのぶれを防止する第１ぶれ防止具３１ａが上方に向かって立設され、その非演奏者側には、図２に示すように押鍵時にハンマー２０の遊端部が挿通可能な第１挿通孔３２ａが形成され、さらにその非演奏者側には、鍵盤１０のハネ防止具１２を挿通可能な第２挿通孔３２ｂが形成されている。また、この第２挿通孔３２ｂの非演奏者側には、第２ぶれ防止具３１ｂが上方に向かって立設され、この第２ぶれ防止具３１ｂの非演奏者側にはハンマー２０を挿通可能な第３挿通孔３２ｃが形成されている。さらに、この第３挿通孔３２ｃの非演奏者側にはハンマー２０を揺動可能に支持する第１軸受部３３ａが形成され、その非演奏者側であってテール部２１の下方には、押鍵を検知するためのゴムスイッチ３５が設置されている。そして、このゴムスイッチ３５のさらに非演奏者側には、第３ぶれ防止具３１ｃが上方に向かって立設され、この第３ぶれ防止具３１ｃの非演奏者側であって、シャーシ３０の非演奏者側端部には、鍵盤１０を揺動可能に支持する第２軸受部３３ｂが形成されている。また、シャーシ３０は、第１ぶれ防止具３１ａと第１挿通孔３２ａとの間の下面に上死点フェルト３４を備え、この上死点フェルト３４には、押鍵時にハンマー２０の突起部２２が当接する。この上死点フェルト３４に突起部２２が当接した位置がハンマー２０の上死点である。
【００２３】
仕切部７０は、図３に示すように、本体部７０ａと受止部７０ｂとを備えており、本体部７０ａは、シャーシ３０の第２挿通孔３２ｂの縁部のうち鍵盤１０の並び方向両側から下方に向かって延設され、各ハンマー２０の間に配置されている。また受止部７０ｂは、ハンマー２０の下方に配置され、隣接する各側面部７０ａの下端を渡す形状に形成されている。
【００２４】
また本体部７０ａのハンマー２０の錘２５に対向する部分には、フェルト７１が貼り付けられている。また、受止部７０ｂは、ハンマー２０の揺動方向に対して角度を持つ部分を有し、具体的には、前後方向に垂直な断面で見て逆八字状の溝部７０ｄが形成され、この溝部７０ｄの傾斜する受止面７０ｃにはフェルト７２が積層されている。尚、図３では作図の都合上受止面７０ｃが左端にしか記載されていないが、ここではフェルト７２が積層された残りの部分も受止面７０ｃである。
【００２５】
支持具５０は、図１に示すように、演奏者側のものが断面逆コ字状に形成され、非演奏者側のものが略Ｚ字状に形成されている。このうち演奏者側の支持具５０には、上辺部よりやや長めに形成された下辺部の先端であって上死点フェルト３４の直下に下死点フェルト５１を備えており、この下死点フェルト５１には、非押鍵時に、ハンマー２０の遊端側先端に設けられた突起部２２が当接する。この下死点フェルト５１に突起部２２が当接した位置が、ハンマー２０の下死点である。
【００２６】
このように形成された鍵盤楽器１では、非押鍵時にはハンマー２０が錘２５の重みで下死点フェルト５１と受止部７０ｂとに支えられる位置まで下がり、この移動に伴ってテール部２１が突起１１を介して、鍵盤１０が押し上げられる。
一方、この鍵盤楽器１では、鍵盤１０の遊端側が押鍵されると、突起１１がテール部２１を押し、ハンマー２０の遊端側が上方に移動する。そのため、ハンマー２０の重みが押鍵間隔として演奏者に伝わるのである。
【００２７】
以上説明した鍵盤楽器１では、鍵盤楽器１が縦に置かれてもハンマー２０が反ることを仕切部７０が防止するので、ハンマー２０同士の衝突が防止され、その結果ハンマー２０同士の衝突音が一切発生しない。
従って、本実施形態の鍵盤楽器１を用いると、ハンマー２０同士が衝突する衝突音の発生を確実に抑えることができる。
【００２８】
また、本実施形態の鍵盤楽器１では、仕切部７０のハンマー２０に対向する部分及び、錘２５の仕切部７０に対向する部分にもフェルト２６，７１が積層されているので、ハンマー２０が仕切部７０に当ったときの衝突音を抑えることができる。
【００２９】
また、仕切部７０は、シャーシ３０の下面に一体に成型され、シャーシ３０と一体成型できるので、製造効率が向上する。
また、本実施形態では、ハンマー２０の下方に受止手段である受止部７０ｂを備えており、しかも受止部７０ｂの受止面７０ｃにフェルト７２が積層され、受止面７０ｃに対向するハンマー２０の被受止面にもフェルト２７が積層されているので、ハンマー２０が落下するとき、緩衝材であるフェルト同士が衝突し緩衝効果が確実かつ効率的に発揮される。そのため本実施形態の鍵盤楽器１では、止音後にハンマー２０が落下することによって生ずる音を確実に抑えることができる。
【００３０】
しかも、受止部７０ｂは、断面逆八字形状の溝部７０ｄが形成されており、しかも溝部７０ｄに対向するハンマー２０の被受止面部分も、溝部７０ｄに嵌合可能な形状に形成されているので、ハンマー２０が受止部７０ｂに受止められるとき、受止面２０ｃを滑り、ハンマー２０が受止部７０ｂにはまり込んで、摩擦によってハンマー２０の落下速度が緩やかに遅くなる。そのため、衝突音の発生をより効果的に抑えることができる。
［第２実施形態］
次に、本発明が適用された第２実施形態の鍵盤楽器について説明する。
【００３１】
ここで、図４は鍵盤楽器の側部断面図である。
尚、本実施形態の説明では、第１実施形態と異なる点のみ説明する。
本実施形態の鍵盤楽器１は、シャーシ３０が演奏者側と、非演奏者側と、演奏者側と非演奏者側との間の中間部で棚板４０に接する脚部３７ａ，３７ｂ，３７ｃを備え、棚板４０に接する中間部の脚部３７ｂの下面に、フェルト３８が積層されている点が第１実施形態と異なる。
【００３２】
本実施形態の鍵盤楽器１では、三本足のシャーシ３０では、棚板４０が反ると中間の脚部３７ｂが棚板４０から浮き、押鍵する際、シャーシ３０が棚板４０に当たるが、本実施形態の鍵盤楽器１のように、棚板４０に接する中間の脚部３７ｂの下面にフェルト３８を積層しておけば、棚板４０が反ってもシャーシ３０が棚板４０に当たる音の発生を防止することができる。
【００３３】
尚、本発明の実施の形態は、上記実施形態に何ら限定されるものではなく、本発明の技術的範囲に属する限り種々の形態を採り得ることはいうまでもない。
上記実施形態でフェルトに代えて、他の緩衝材（例えば、発泡ウレタン、ゴム、人工スキンなど）を積層してもよい。
【図面の簡単な説明】
【図１】第１実施形態の鍵盤楽器の側部断面図である。
【図２】第１実施形態の鍵盤楽器の側部断面図である。
【図３】図１Ａ−Ａ’断面図である。
【図４】第２実施形態の鍵盤楽器の側部断面図である。
【図５】従来の鍵盤楽器の側部断面図である。
【符号の説明】
１…鍵盤楽器、１０…鍵盤、１１…突起、１２…ハネ防止具、１６…揺動軸、２０…ハンマー、２１…テール部、２２…突起部、２５…錘、２６…フェルト、２７…フェルト、２９…揺動軸、３０…シャーシ、３１ａ…第１ぶれ防止具、３１ｂ…第２ぶれ防止具、３１ｃ…第３ぶれ防止具、３２ａ…第１挿通孔、３２ｂ…第２挿通孔、３２ｃ…第３挿通孔、３３ａ…第１軸受部、３３ｂ…第２軸受部、３４…上死点フェルト、３５…ゴムスイッチ、３７ａ…脚部、３７ｂ…脚部、３７ｃ…脚部、３８…フェルト、４０…棚板、５０…支持具、５１…下死点フェルト、６０…リブ、７０…仕切部、７０ａ…本体部、７０ｂ…受止部、７０ｃ…受止面、７０ｄ…溝部、７１…フェルト、７２…フェルト、
【図１】
2004226731.tif 000003
【図２】
2004226731.tif 000004
【図３】
2004226731.tif 000005
【図４】
2004226731.tif 000006
【図５】
2004226731.tif 000007